(57)【特許請求の範囲】
【請求項１】
木造家屋の軸部材間を閉鎖して固定する壁パネルの面状耐力壁取付方法において、上記軸部材に固定される構造用合板の壁パネルと、この壁パネルの一方の端面に長手方向に沿って形成された凸条部と、上記壁パネルの他方の端面に沿って形成され上記凸条部が嵌合可能な凹溝と、上記壁パネルを取り付ける上記木造家屋の一側面の周縁部に設けられ上記壁パネルの上記凸条部または上記凹溝と嵌合する他方の凹溝または凸条部を備えた位置決め部材を設け、上記位置決め部材を上記軸部材に固定し、上記壁パネルの凸条部又は凹溝を上記位置決め部材の凹溝又は凸条部に嵌合させて上記壁パネルを上記軸部材に取り付け固定することを特徴とする木造家屋の面状耐力壁取付方法。
【請求項２】
木造家屋の軸部材間を閉鎖して固定される壁パネルの面状耐力壁取付構造において、上記軸部材に固定される構造用合板の壁パネルと、この壁パネルの一方の端面に長手方向に沿って形成された凸条部と、上記壁パネルの他方の端面に沿って形成され上記凸条部が嵌合可能な凹溝と、上記壁パネルを取り付ける上記木造家屋の一側面の周縁部に設けられ上記壁パネルの上記凸条部または上記凹溝と嵌合する他方の凹溝または凸条部を備えた位置決め部材とから成り、上記位置決め部材を上記軸部材に固定し、上記壁パネルの凸条部又は凹溝を上記位置決め部材の凹溝又は凸条部に嵌合させて上記壁パネルを上記軸部材に取り付けて固定し、上記位置決め部材は、上記壁パネルと同様の厚さに形成され、上記壁パネル同士の接合部と位置をずらせて上記位置決め部材同士の接合部が位置していることを特徴とする木造家屋の面状耐力壁取付構造。
【請求項３】
上記凹溝内には、上記凸条部が嵌合した状態でその接合部を気密状態にする気密材が設けられていることを特徴とする請求項２記載の木造家屋の面状耐力壁取付構造。
【請求項４】
上記位置決め部材と上記軸部材との間にも気密材がその長手方向に配置されて挟持されていることを特徴とする請求項２または３記載の木造家屋の面状耐力壁取付構造。
【発明の詳細な説明】
【０００１】
【発明の属する技術分野】
この発明は、軸組構造の木造家屋の構造用耐力壁等を壁パネル材により形成した木造家屋の面状耐力壁取付方法とその取付構造に関する。
【０００２】
【従来の技術】
従来、木造家屋の建築工法は、いわゆる在来工法である軸組工法が主流であるが、近年、２×４工法やその他のパネル材を組み立てる枠組み壁工法も広まってきている。これらの家屋は、特にエネルギー効率と快適性を高めるために、気密性、断熱性を高めたものとなっている。このパネル工法用の壁パネルとしては、例えば特開平８−２８４２８２号公報に開示されているように、矩形状に組んだ枠の表裏に面材を貼り付けて壁パネルとしたものがある。この壁パネルは、木造家屋の軸組間に並設し、釘等で互いに連結すると共に、軸部材にも釘等で固定するものである。そして、壁パネル同士の接合部を、凸部同士または凹凸により連結して工期の短縮や気密性の向上を図ったものである。
【０００３】
【発明が解決しようとする課題】
しかしながら、上記従来の壁パネルは、壁パネル同士の連結が容易であるが、それにより耐力壁を構成するものではなく、単に壁パネルの施工性を良くしているだけのものである。さらに、在来工法である軸組工法に用いることができず、専用のパネル工法に用いられるだけであり汎用性のないものであった。
【０００４】
この発明は、上記従来の技術の問題点に鑑みてなされたもので、施工精度及び強度が高く、しかも施工が容易であり、気密性・断熱性の高い木造家屋の面状耐力壁取付方法とその取付構造を提供することを目的とする。
【０００５】
【課題を解決するための手段】
この発明は、木造家屋の柱や土台、桁や梁その他の枠体等の軸部材間に装着される壁パネルによる面状耐力壁取付方法であって、上記軸部材に固定される構造用合板の壁パネルと、この壁パネルの一方の端面に長手方向に沿って形成された凸条部と、上記壁パネルの他方の端面に沿って形成され上記凸条部が嵌合可能な凹溝と、上記壁パネルを取り付ける上記木造家屋の一側面の周縁部に設けられ上記壁パネルの上記凸条部または上記凹溝と嵌合する他方の凹溝または凸条部を備えた位置決め部材を設け、上記位置決め部材は、取り付けられる上記軸部材の外周面端部に位置を合わせて固定し、上記壁パネルの凸条部又は凹溝を上記位置決め部材の凹溝又は凸条部に嵌合させて、上記壁パネルを上記軸部材に取り付け固定する木造家屋の面状耐力壁取付方法である。
【０００６】
また、木造家屋の軸部材間を閉鎖して固定される壁パネルの面状耐力壁取付構造において、上記軸部材に固定される構造用合板の壁パネルと、この壁パネルの一方の端面に長手方向に沿って形成された凸条部と、上記壁パネルの他方の端面に沿って形成され上記凸条部が嵌合可能な凹溝と、上記壁パネルを取り付ける上記木造家屋の一側面の周縁部に設けられ上記壁パネルの上記凸条部または上記凹溝と嵌合する他方の凹溝または凸条部を備えた位置決め部材とから成り、上記位置決め部材を上記軸部材に固定し、上記壁パネルの凸条部又は凹溝を上記位置決め部材の凹溝又は凸条部に嵌合させて上記壁パネルを上記軸部材に取り付けて固定し、上記位置決め部材は、上記壁パネルと同様の厚さに形成され、上記壁パネル同士の接合部と位置をずらせて上記位置決め部材同士の接合部が位置している。さらに、上記凹溝内には、上記凸条部が嵌合した状態でその接合部を気密状態にする気密材が設けられ、上記位置決め部材と上記軸部材との間にもその長手方向に気密材が挟持されている。
【０００７】
この発明の木造家屋の面状耐力壁取付方法とその取付構造は、軸部材に壁パネルが固定され、壁パネル同士は凸条部と凹溝が嵌合し、さらに位置決め部材により正確に軸部材に壁パネルを取り付けることができ、熟練を要せず施工精度の高いものとすることができる。
【０００８】
【発明の実施の形態】
以下この発明の実施の形態について図面に基づいて説明する。この発明の一実施形態の木造家屋の面状耐力壁取付構造は、図１〜図７に示すように、木造家屋の軸組となる軸部材である土台１１、柱１２、桁１３等の軸部材に直接取り付けられる構造用合板から成る壁パネル１０を有し、軸部材である柱１２は、コンクリートの布基礎１４上に気密材を兼ねるスペーサ８、土台１１を介して固定されている。
【０００９】
この実施形態の壁パネル１０は、図５，図６に示すように、壁パネル１０の一方の長辺側端面に長手方向に沿って形成された凸条部１６と、この長辺側端面と直角に接続した一方の短辺側端面の長手方向に沿って形成された凸条部１８とを有している。さらに、壁パネル１０の他方の長辺側端面に沿って形成され凸条部１６が嵌合可能な凹溝２０と、他方の短辺側端面に沿って形成され凸条部１８が嵌合可能な凹溝２２とを備えている。
【００１０】
壁パネル１０を取り付ける木造家屋２の各側面の周縁部には、図１〜図４，図７に示すように、壁パネル１０の凸条部１６，１８、及び凹溝２０，２２と嵌合する凹溝２３または凸条部２４を備えた位置決め部材３０が設けられている。位置決め部材３０は、軸部材である土台１１、柱１２、その他の桁１３，２８や梁等に直接釘等で強固に正確に固定されている。
【００１１】
位置決め部材３０を土台１１に固定する場合、図２に示すように、土台１１の下端縁に合わせて固定される。また、図１に示すように、柱１２の外側の角部では、位置決め部材３０同士が、その端縁部を軸部材の直角に重ね合わせ、位置決め部材３０の一端縁部を軸部材の一端縁に合わせて他方の縁部の凸条部２４を壁パネル１０の凹溝２０に嵌合させている。
【００１２】
この位置決め部材３０は、壁パネル１０と同様の構造用合板を適宜切断して一定の幅に形成されている。位置決め部材３０の取付位置は、図７に示すように、壁パネル１０同士の接合部と位置をずらせて、位置決め部材３０同士の端部の接合部が位置している。
【００１３】
そして、壁パネル１０の凹溝２０，２２及び位置決め部材３０の各凹溝２８内には、凸条部１６，１８，２４が嵌合した状態でその接合部を気密状態にする気密材２８が設けられている。位置決め部材３０と土台１１その他軸部材との間にも、シート状や紐状等の気密材２９が挟持されている。
【００１４】
壁パネル１０の室内側には、スチレンやウレタン等の断熱材３２が設けられ、その室内側には蓄熱機能のある例えばセメント系の板材３４が一体に貼り付けられている。板材３４の室内側は、空間部３６を介して壁下地材となるプラスターボード３８が設けられている。また、壁パネル１０の室外側には、外胴縁４０を介して外壁材４２が固定され、壁パネル１０と外壁材４２の間に通気層４１が形成されている。
【００１５】
この実施形態の壁パネル１０は、先ず、木造家屋２の側面の一方の端部の柱１２に位置決め部材３０を固定し、次に軸部材である土台１１に直接釘等で位置決め部材３０を固定する。その後、位置決め部材３０の凸条部２４に壁パネル１０の凹溝２２を嵌合させながら取り付け、壁パネル１０を順に接合する。そして、他方の端部の柱１２の位置決め部材３０を接合し木造家屋２の一側面への取り付けを終える。さらに、木造家屋２の各側面を同様に形成して、１階部分の壁パネル１０の取り付けが完了する。さらに、２階部分を同様に形成して、２階部分の屋根４６の裏側の桁２８等に位置決め部材３０を釘等で取り付け、この実施形態の木造家屋２の面状耐力壁取付構造が出来上がる。
【００１６】
この実施形態の面状耐力壁取付構造は、壁パネル１０を土台１１や柱１２等の軸部材に強固に固定し、さらに、位置決め部材３０により位置決めしつつ、凸条部１６，１８，２４と凹溝２０，２２，２３等を嵌合させて気密を図っているので、水平耐力性能が高く、しかも気密性も極めて高いものである。また位置決め部材３０により位置決めしつつ施工するので、熟練を要さず正確に平準化された施工が、容易に可能である。特に、気密材２８を凹溝２０，２２に配置することにより、より気密性を高くすることができる。また、位置決め部材３０と壁パネル１０の接合部の各々の位置をずらして取り付けることにより、接合強度を高くすることができると共に、接合部が四方から集中せず、接合部での気密の漏れをなくし、確実に気密性を保持することができる。さらに、位置決め部材３０の裏面側にも気密材２９を設けることにより、より高い気密性を得ることができ、木造家屋２の側面全体を囲むようにして確実な気密を図ることができる。
【００１７】
次にこの発明の木造家屋の面状耐力壁取付構造の他の実施形態について図８〜図１１を基にして説明する。ここで、上述の実施形態と同様の部材は同一符号を付して説明を省略する。この実施形態の面状耐力壁取付構造では、壁パネル１０の室外側に断熱材４４が貼り付けられているものである。また、断熱材４４と等しい厚さの断熱材４８の中に一部埋設して一体となった状態の外胴縁４０が柱１２の外側に釘等で固定される。また、間柱６２に対応する位置にも外胴縁４０が位置し、外胴縁４０の裏面側の断熱材４８は薄く形成されている。特に、外断熱構造の場合、壁パネル１０間の柱１２等における熱橋の形成も、断熱材４８により防止することが出来る。また、断熱材４８は、外胴縁４０の嵌合部を有した断面凹字状に形成され、外胴縁４０と柱１２や間柱６２との距離を短くしている。
【００１８】
この実施形態の面状耐力壁取付構造によれば、断熱材４４によって家屋全体が包まれ、熱橋がなく断熱効果が高く、気密性も高いものである。さらに、外胴縁４０と柱１２や間柱６２等の取付部材との間の部分の断熱材４８の厚さが薄く形成されているので、釘等の撓みによる気密の低下を防止することができ、また外壁材４２を支える釘にかかるモーメントを抑えることができ、重い外壁材４２を取り付けるために釘等を長くする必要がなく、取付強度も高いものにすることができる。
【００１９】
次にこの発明の木造家屋の面状耐力壁取付構造のさらに他の実施形態について図１２〜図１５を基にして説明する。ここで、上述の実施形態と同様の部材は同一符号を付して説明を省略する。この実施形態の面状耐力壁取付構造は、壁パネル１０の室内外に断熱材３２，４４，４８を設けたものである。
【００２０】
この実施形態の面状耐力壁取付構造によれば、より高い断熱性と気密性を得ることができ、しかも施工は上記実施形態と同様に簡単にできるものである。
【００２１】
尚、この発明の木造家屋の面状耐力壁取付構造は、壁パネル及び位置決め部材の材質や、凸条部及び凹溝の形状は問わないものであり、施工方法も適宜設定することができる。また、気密材は、ゴムや樹脂系の材料を必要に応じて設ければ良く、気密材と接着剤を兼ねた樹脂系のものでも良い。
【００２２】
【発明の効果】
この発明の木造家屋の面状耐力壁取付方法とその取付構造は、壁パネル同士を気密状態で強固に軸部材に固定することができ、しかも位置決め部材により、正確且つ簡単に柱や土台等の軸部材に固定することができる。また、位置決め部材と壁パネルの接合部の位置をずらすことにより、強度を高め、接合部での気密の漏れをなくすことができる。また、凹溝や位置決め部材に気密材を設けることによりさらに確実に気密状態を維持することができる。
【図面の簡単な説明】
【図１】  この発明の一実施形態の木造家屋の面状耐力壁取付構造の横断面図である。
【図２】  この発明の一実施形態の木造家屋の面状耐力壁取付構造の土台部分の縦断面図である。
【図３】  この発明の一実施形態の木造家屋の面状耐力壁取付構造の桁部分の縦断面図である。
【図４】  この発明の一実施形態の木造家屋の面状耐力壁取付構造の屋根裏部分の縦断面図である。
【図５】  この発明の一実施形態の壁パネルの部分斜視図である。
【図６】  この発明の一実施形態の壁パネルの正面図である。
【図７】  この発明の一実施形態の壁パネルの施工状態の正面図である。
【図８】  この発明の他の実施形態の木造家屋の面状耐力壁取付構造の横断面図である。
【図９】  この発明の他の実施形態の木造家屋の面状耐力壁取付構造の土台部分の縦断面図である。
【図１０】  この発明の他の実施形態の木造家屋の面状耐力壁取付構造の桁部分の縦断面図である。
【図１１】  この発明の他の実施形態の木造家屋の面状耐力壁取付構造の屋根裏部分の縦断面図である。
【図１２】  この発明のさらに他の実施形態の木造家屋の面状耐力壁取付構造の横断面図である。
【図１３】  この発明のさらに他の実施形態の木造家屋の面状耐力壁取付構造の土台部分の縦断面図である。
【図１４】  この発明のさらに他の実施形態の木造家屋の面状耐力壁取付構造の桁部分の縦断面図である。
【図１５】  この発明のさらに他の実施形態の木造家屋の面状耐力壁取付構造の屋根裏部分の縦断面図である。
【符号の説明】
１０    壁パネル
１１    土台（軸部材）
１２    柱（軸部材）
１３，２８    桁（軸部材）
１６，１８，２４    凸条部
２０，２２，２３    凹溝
２８，２９    気密材
３０    位置決め部材
３２，４４，４８    断熱材
４０    外胴縁
【図１】
0003954325.tif 000002
【図２】
0003954325.tif 000003
【図３】
0003954325.tif 000004
【図４】
0003954325.tif 000005
【図５】
0003954325.tif 000006
【図６】
0003954325.tif 000007
【図７】
0003954325.tif 000008
【図８】
0003954325.tif 000009
【図９】
0003954325.tif 000010
【図１０】
0003954325.tif 000011
【図１１】
0003954325.tif 000012
【図１２】
0003954325.tif 000013
【図１３】
0003954325.tif 000014
【図１４】
0003954325.tif 000015
【図１５】
0003954325.tif 000016